(57)【要約】【課題】  簡易な構成及び簡単な操作によって、複数の収納箱のうちの一つを床開口に容易に合致させ、各収納箱に収納物をスムーズに出入れすることのできるスライド式床下収納を提供する。【解決手段】    縦横２列に配置された平面形状が正方形の４個の収納箱１５を床下空間１３において一体としてスライド移動させ、床開口１６を介して各収納箱１５に収納物を出入れできるようにしたスライド式床下収納１０であって、床開口１６が各収納箱１５の平面形状と略同じ大きさの正方形となっており、一体として移動する収納箱１５は、各列の中心方向Ｘ，Ｙと垂直な方向への移動領域２３が、床開口１６から収納箱１５の略一個分に制限されている。また一体としてスライド移動する収納箱１５は、床開口１６の対角線方向Ｚに移動するように案内される。【選択図】      図２
2005336931.tif 000002
【特許請求の範囲】
【請求項１】
２列に配置された少なくとも４個の平面形状が矩形状の収納箱を床下空間において一体としてスライド移動させ、床開口を介して各収納箱に収納物を出入れできるようにしたスライド式床下収納であって、
前記床開口が各収納箱の平面形状と略同じ大きさの矩形状となっており、前記一体として移動する収納箱は、各列の中心方向と垂直な方向への移動領域が、前記床開口から前記収納箱の略一個分に制限されているスライド式床下収納。
【請求項２】
前記収納箱が縦横２列に４個配置されており、該一体としてスライド移動する４個の収納箱は、縦横各列の中心方向と垂直な方向への移動領域が、前記床開口から前記収納箱の略一個分に各々制限されている請求項１記載のスライド式床下収納。
【請求項３】
前記矩形状の収納箱の平面形状及び床開口の形状が正方形である請求項１又は２に記載のスライド式床下収納。
【請求項４】
前記一体としてスライド移動する４個の収納箱は、前記床開口の対角線方向に移動するように案内される請求項２又は３に記載のスライド式床下収納。
【請求項５】
前記矩形状の収納箱の平面形状及び床開口の形状が縦横略６０ｃｍの正方形であり、前記縦横２列に配置されて一体としてスライド移動する４個の収納箱は、前記床開口を中央部分に配置した支柱部材の無い縦横略１８０ｃｍの正方形の領域において移動するように制限されている請求項３又は４に記載のスライド式床下収納。
【発明の詳細な説明】
【技術分野】
【０００１】
本発明は、スライド式床下収納に関し、特に平面形状が矩形状の収納箱を、床下空間において一体としてスライド移動させ、床開口を介して各収納箱に収納物を出入れできるようにしたスライド式床下収納に関する。
【背景技術】
【０００２】
活用されることなく無駄な空間となっている床下空間を、収納スペースとして効率良く利用できるようにした技術が種々提案されている（例えば、特許文献１、特許文献２、特許文献３参照）。特許文献１の床下収納装置は、床の下方の水平底にループ状に張設した駆動チェーンに沿って、上面が開口する複数個のバケットを移動可能に配設し、床に設けた取出口の下方に順次移動させたバケットに対して、取出口から収納物を出入れするようにしたものである。
【０００３】
また、特許文献２の床下収納庫は、床下の一つの束の回りを循環する複数の台車を環状に一体として連結し、各台車に車輪を設けると共に、収納容器を着脱自在に各々設置し、収納庫を回転させて床表面の出入れ用開口部の下方に位置させた収納容器に対して、収納物の出入れを行うようにしたものである。
【０００４】
さらに、特許文献３の床下収納装置は、収納口を有する床板と基礎との間の床下空間に設置される装置であって、床下の収納口付近に立脚された一対の内側支柱と、床下の収納口から離間した位置に立脚された一対の外側支柱と、内側支柱と外側支柱との間に架設された一対の梁部材とを備えており、収納ボックスが一対の梁部材間にガイドローラユニットによって移動自在に吊持されている。そして、吊持された収納ボックスを、収納口の各辺の外側に４箇所設けておき、各収納ボックスを各々収納口の下方にスライド移動させて、収納口から収納物を出入れできるようにしたものである。
【特許文献１】実開平７−２５１４１号公報
【特許文献２】特開２０００−１７９１４２
【特許文献３】特開２００２−２１３０７１
【発明の開示】
【発明が解決しようとする課題】
【０００５】
これらの従来の床下収納によれば、複数の収納容器や収納ボックス等のうちの一つを、出入れ用開口部や収納口等に選択的に合致させて収納物を各々出入れさせるための構成が複雑になると共に、取扱い易さや操作のし易さに欠けることから、これらの欠点を改善した新たな床下収納の開発が望まれている。
【０００６】
本発明は、簡易な構成及び簡単な操作によって、複数の収納箱のうちの一つを床開口に容易に合致させ、各収納箱に収納物をスムーズに出入れさせることを可能にして、床下空間を収納スペースとしてさらに効率良く利用させることのできるスライド式床下収納を提供することを目的とする。
【課題を解決するための手段】
【０００７】
本発明は、２列に配置された少なくとも４個の平面形状が矩形状の収納箱を床下空間において一体としてスライド移動させ、床開口を介して各収納箱に収納物を出入れできるようにしたスライド式床下収納であって、前記床開口が各収納箱の平面形状と略同じ大きさの矩形状となっており、前記一体として移動する収納箱は、各列の中心方向と垂直な方向への移動領域が、前記床開口から前記収納箱の略一個分に制限されているスライド式床下収納を提供することにより、上記目的を達成したものである。
【０００８】
そして、本発明のスライド式床下収納によれば、前記収納箱が縦横２列に４個配置されており、該一体としてスライド移動する４個の収納箱は、縦横各列の中心方向と垂直な方向への移動領域が、前記床開口から前記収納箱の略一個分に各々制限されていることが好ましい。
【０００９】
また、本発明のスライド式床下収納によれば、前記矩形状の収納箱の平面形状及び床開口の形状が正方形であることが好ましい。
【００１０】
さらに、本発明のスライド式床下収納によれば、前記一体としてスライド移動する４個の収納箱は、前記床開口の対角線方向に移動するように案内されることが好ましい。
【００１１】
さらにまた、本発明のスライド式床下収納によれば、前記矩形状の収納箱の平面形状及び床開口の形状が縦横略６０ｃｍの正方形であり、前記縦横２列に配置されて一体としてスライド移動する４個の収納箱は、前記床開口を中央部分に配置した支柱部材の無い縦横略１８０ｃｍの正方形の領域において移動するように制限されていることが好ましい。
【発明の効果】
【００１２】
本発明のスライド式床下収納によれば、簡易な構成及び簡単な操作によって複数の収納箱のうちの一つを床開口に容易に合致させ、各収納箱に収納物をスムーズに出入れさせることを可能にして、床下空間を収納スペースとしてさらに効率良く利用させることができる。
【発明を実施するための最良の形態】
【００１３】
図１及び図２に示す本発明の好ましい一実施形態に係るスライド式床下収納１０は、例えば住宅建築物の一階居室部分の床部材１１の下方に形成される土間コンクリート１２との間の床下空間１３に設けられ、当該床下空間１３を収納スペースとして効率良く利用できるようにするために設置されるものである。ここで、本実施形態によれば、床下空間１３は、例えば布基礎の上端面に設置された土台や支柱部材としての床束間に設けられた大引き等に支持させて、これらの土台や大引き等の間に架設された根太１４の上面に、床部材１１を敷設することにより、当該床部材１１と土間コンクリート１２との間に挟まれる、例えば２５０〜７５０ｍｍ程度の相当の高を保持した空間として設けられるものである。
【００１４】
そして、本実施形態に係るスライド式床下収納１０は、このような床下空間１３において、２列に配置された少なくとも４個の平面形状が矩形状の収納箱１５を一体としてスライド移動させ、床開口１６を介して各収納箱１５に収納物を出入れできるようにした床下収納であって、床開口１６が各収納箱１５の平面形状と略同じ大きさの矩形状となっており、一体として移動するこれらの収納箱１５は、各列の中心方向Ｘ，Ｙと垂直な方向への移動領域が、床開口１６から収納箱１５の略一個分に制限されている。
【００１５】
また、本実施形態によれば、図３にも示すように、収納箱１５が縦横２列に４個配置されており、一体としてスライド移動するこれらの４個の収納箱１５は、縦横各列の中心方向Ｘ，Ｙと垂直な方向への移動領域が、床開口１６から収納箱１５の一個分に各々制限されている。
【００１６】
さらに、本実施形態によれば、矩形状の収納箱１５の平面形状及び床開口１６の形状は正方形となっており、一体としてスライド移動する４個の収納箱１５は、床開口１６の対角線方向Ｚに移動するように案内されることになる。
【００１７】
本実施形態によれば、各収納箱１５は、例えば一辺が６００ｍｍの正方形の床開口１６から容易に床下空間１３に配設することが可能な大きさとして、外周形状の一辺がこれよりよりも僅かに小さな例えば４５０〜５８０ｍｍ、好ましくは５００ｍｍの正方形の平面形状を備えると共に、例えば１００〜６００ｍｍの高さを有する、上面部が開口する中空六面体形状の箱体である。４個の収納箱１５は、縦横に並べて側面同士を互いに接合することにより田の字形状に一体化され、下端面の角部に各々取り付けられたボール状のキャスター１７を介して、土間コンクリート１１の上面を縦横或いは斜め方向等に一体としてスライド移動できるようになっている。
【００１８】
また、本実施形態によれば、収納箱１５は、４個が一体となって例えば一辺が９００〜１１６０ｍｍ、好ましくは１０００ｍｍの正方形の平面形状を備えると共に、一体となった収納箱１５の底面には、対角方向スライド案内制限機構１８が取り付けられている。この対角方向スライド案内制限機構１８によって、４個一体となった収納箱１５は、各列の中心方向Ｘ，Ｙと垂直な方向への移動領域が、床開口１６から縦横に収納箱１５の略一個分に相当する例えば４５０〜５８０ｍｍ、好ましくは５００ｍｍの領域に各々制限され、これによって、全体の移動領域は、これらの略３倍である、床開口１６を中央部分に配置した縦横略１８００ｍｍの正方形の領域に制限されることになる。
【００１９】
なお、本実施形態によれば、床下空間１３は、支柱部材である床束が一般に縦横に例えば９００ｍｍのピッチで設置されているところを、例えば根太１４を補強しつつ所定箇所の床束を省略したり、床束の配設ピッチを大きくすることにより、縦横略１８０ｃｍの正方形の領域において、柱部材の無い床下空間１３として容易に形成されることになる。
【００２０】
ここで、対角方向スライド案内制限機構１８は、図４に示すように、例えば正方形の基板プレート１９の上面側に一対の上方スライドレール２０ａを、下面側に一対の下方スライドレール２０ｂを各々平行に配置した状態で取り付けて構成されている。各スライドレール２０ａ、２０ｂは、例えばスチール製の机の引き出しをスムーズに出し入れできるように、当該引き出しに取り付けて用いる公知のスライドレールと同様の構成を備えるものである。すなわち、これらのスライドレール２０ａ、２０ｂは、例えば図５（ａ），（ｂ）にも示すように、浅溝状のアウターレール２１と、スチールボール等を介してこのアウターレール２１に沿って滑らかにスライド移動するインナーレール２２とからなり、インナーレール２２がアウターレール２１に対して両側に突出するようにスライドする両トラベルタイプのスライドレールである。
【００２１】
そして、一対の下方スライドレール２０ｂを床開口１６の一方の対角線方向Ｚと平行に配置しつつ、これのアウターレール２１を土間コンクリート１１に固定すると共に、インナーレール２２の上面に基板プレート１９を固定する。また基板プレート１９の上面には、一対の上方スライドレール２０ａが、これのアウターレール２１を基板プレート１９に配置固定して、床開口１６の他方の対角線方向Ｚと平行に取り付けられており、この上方スライドレール２０ａのインナーレール２２の上面に、４個一体となった収納箱１５が、基板プレート１９の上方に重ね合わせるようにして設置固定されることになる。これによって、４個一体となった収納箱１５は、例えば図６（ａ），（ｂ）に概念図として示すように、下方スライドレール２０ｂ及び上方スライドレール２０ａによって案内されつつ、ボール状のキャスター１７（図３参照）を回転させながら、当該４箇所の角部のキャスター１７と、中央部分の対角方向スライド案内制限機構１８とによって支持された状態で、床開口１６の一対の対角線方向Ｚに各々スムースに移動することが可能になる。
【００２２】
また、本実施形態によれば、スライドレール２０ａ、２０ｂは、アウターレール２１に対するインナーレール２２のスライド突出量を、例えば収納箱１５の一辺の１．４１倍に規制するストッパ機能を備えており、このストッパ機能によって、対角線方向Ｚへの収納箱１５のスライド移動を制限して、一体としてスライド移動する４個の収納箱の縦横各列の中心方向Ｘ，Ｙと垂直な方向への移動を、床開口１６を中央部分に配置した縦横略１８００ｍｍの正方形の領域内に収まるように規制できるようになっている。
【００２３】
このような対角方向スライド案内制限機構１８が設けられていることにより、図６において、例えば収納箱１５を正方形の移動領域２３の中央部分から右上方に移動させる際には、図６（ａ）に示すように、基板プレート１９を中央部分に残したまま、上方スライドレール２０ａの案内によって一体となった収納箱１５のみを対角線方向Ｚにその移動が規制されるまで移動する。これによって、床開口１６には、左下の収納箱１５が略合致して、当該収納箱１５に収納物を出入れ可能な状態となる。また例えば収納箱１５を移動領域２３の左上方に移動させる際には、図６（ｂ）に示すように、基板プレート１９と共に一体となった収納箱１５を、下方スライドレール２０ｂの案内によって対角線方向Ｚにその移動が規制されるまで移動する。これによって、床開口１６には、右下の収納箱１５が略合致して、当該収納箱１５に収納物を出入れ可能な状態となる。なお、例えば基板プレート１９の角部分等の必要箇所を適宜切り欠いておくことなどによって、４個一体となった収納箱１５が移動する際の、キャスター１７と基板プレート１９との緩衝を容易に回避できるようにすることが可能になる。
【００２４】
さらに、本実施形態によれば、田の字状に一体となった収納箱１５の上面部には、４個の収納箱１５に跨る中央部分に、円形リング形状の取っ手２４が取り付けられている（図２，図３参照）。この取っ手２４を把持しつつ、床部材１１の上方から、床開口１６を介して収納箱１５をスライド移動させる操作を容易に行うことができるようになっている。また一体となった収納箱１５が、図７に示すように対角線方向Ｚの端部まで移動して１個の収納箱１５が床開口１６に合致した場合でも、取っ手２４の一部が床開口１６の角部に臨んだ状態となるので、この取っ手２４を把持しつつ、床開口１６に合致させる収納箱１５の入れ替え操作を容易に行うことが可能になる。
【００２５】
なお、４個一体となった収納箱１５の中央部分に位置する各々の角部分の上端面に欠込みを設けておき、これらの欠込みに一体として跨るようにして、円形リング形状の取っ手２４を填め込んで固定することにより、当該取っ手２４によって、４個の収納箱１５をその中央部分においてさらに安定した状態で接合一体化することが可能になる。また、床開口１６は、床下空間１３の点検口を兼ねることもできる。さらに、収納箱１５の上端開口面には、床開口１６を覆う蓋部材２５（図１参照）とは別途に、蓋を設けて、収納箱１５の内部を密閉状態とすることもでき、蓋を透明アクリル板等の透明板で形成することにより、床開口１６を開けた時点で収納箱１５の中身を確認でき、物を探すための手間を省略することも可能になる。
【００２６】
そして、上述の構成を備える本実施形態のスライド式床下収納１０によれば、床開口１６を覆う蓋部材２５を開閉しつつ、床開口１６に合致させた収納箱１５に対して収納物の出入れを行うことになるが、本第１実施形態によれば、簡易な構成及び簡単な操作によって、複数の収納箱１５のうちの一つを床開口１６に容易に合致させ、各収納箱１５に収納物をスムーズに出入れさせて、床下空間１３を収納スペースとしてさらに効率良く利用させることが可能になる。
【００２７】
すなわち、本実施形態によれば、基板プレート１９とスライドレール２０ａ、２０ｂとからなる簡易な構成の対角方向スライド案内制限機構１８を介して、スライド移動が制限される位置まで４個一体となった収納箱１５をスライド移動させるだけの簡単な操作によって、４個の収納箱１５のうちの任意の一つを床開口１６に容易に合致させることができるので、４個の収納箱１５による大きな収納量を確保しつつ、床下空間１３を収納スペースとしてさらに効率良く利用することが可能になる。
【００２８】
また、本実施形態によれば、４個一体となった収納箱１５は、ボール状のキャスター１７や対角方向スライド案内制限機構１８を介して、土間コンクリート１１に支持されてこれの上面を走行移動するようになっているので、根太や大引等に余分な荷重がかかららず、したがって吊りレールとした場合の如く、根太や大引等に負荷される荷重を考慮する必要がない。さらに、本実施形態によれば、対角方向スライド案内制限機構１８のスライドレール２０ａ、２０ｂを斜めに配置して、収納箱１５を床開口１６の対角線方向にスライド移動させるようになっているので、対角位置にある収納箱１５の入れ替えを、最小のストロークで容易に行うことが可能になる。
【００２９】
なお、本発明は上記実施形態に限定されることなく種々の変更が可能である。例えば、平面形状が矩形状の収納箱１５は、正方形の平面形状を備えるものである必要は必ずしもなく、図８に示すように長方形の平面形状とすることもでき、床開口１６を長方形とすることもできる。また、２列に配置されて一体としてスライド移動する複数の収納箱は、４個である必要は必ずしもなく、６個又は８個以上であっても良い。さらに、収納箱を縦横２列に４個配置して、縦横各列の中心方向と垂直な方向への移動領域を収納箱の略一個分に各々制限する必要は必ずしもなく、図９に示すように、縦方向又は横方向のいずれか一方の方向Ｘ’と垂直な方向への移動領域のみを、収納箱１５の略一個分に制限するようにしても良い。さらにまた、一体としてスライド移動する複数の収納箱を床開口の対角線方向に移動するように案内する必要は必ずしもなく、その移動方向は任意に設定することができる。
【００３０】
また、一体として移動する収納箱の移動領域を床開口から収納箱の略一個分に制限する手段として、上記実施形態の対角方向スライド案内制限機構１８を用いる必要は必ずしも無く、その他の種々の構成のスライド案内制限機構を用いることができる他、例えば移動領域の周囲を囲む移動制限壁や移動制限凸リブ等を設けると共に、一体となった収納箱に移動方向が自由なキャスターを取り付けておき、収納箱やキャスターを移動制限壁や移動制限凸リブ等に衝突させるまで移動させて、収納箱の移動領域を床開口から収納箱の略一個分に制限できるようにすることもできる。
【図面の簡単な説明】
【００３１】
【図１】本発明の一実施形態に係るスライド式床下収納の略示断面図である。
【図２】本発明の一実施形態に係るスライド式床下収納を床部材の上方から視た平面図である。
【図３】一体としてスライド移動する収納箱の斜視図である。
【図４】対角方向スライド案内制限機構の構成を説明する斜視図である。
【図５】（ａ）及び（ｂ）はスライドレールの構成を説明する斜視図である。
【図６】（ａ）及び（ｂ）は一体となった収納箱を対角方向スライド案内制限機構を介して対角方向にスライド移動させる状況を説明する概念図である。
【図７】一体となった複数の収納箱を対角方向に移動して、１個の収納箱を床開口に合致させた状態の平面図である。
【図８】収納箱の平面形状及び床開口の形状を長方形とした場合を例示する平面図である。
【図９】一方の方向と垂直な方向への移動領域のみを、収納箱の略一個分に制限するようにした場合を例示する平面図である。
【符号の説明】
【００３２】
１０  スライド式床下収納
１１  床部材
１２  土間コンクリート
１３  床下空間
１４  根太
１５  収納箱
１６  床開口
１７  キャスター
１８  対角方向スライド案内制限機構
１９  基板プレート
２０ａ  上方スライドレール
２０ｂ  下方スライドレール
２１  アウターレール
２２  インナーレール
２３  一体となった収納箱の移動領域
２４  取っ手
２５  床開口の蓋部材
Ｘ，Ｙ，Ｘ’  ２列に配置された収納箱の各列の中心方向
Ｚ  床開口の対角線方向
【図１】
2005336931.tif 000003
【図２】
2005336931.tif 000004
【図３】
2005336931.tif 000005
【図４】
2005336931.tif 000006
【図５】
2005336931.tif 000007
【図６】
2005336931.tif 000008
【図７】
2005336931.tif 000009
【図８】
2005336931.tif 000010
【図９】
2005336931.tif 000011